(57)【要約】【課題】施工作業の作業性の向上を図る。【解決手段】仮保持部材５は、係合部５０と、係合部５０が離脱可能に係合する被係合部５１とを有している。被係合部５１は、第１貫通孔５２０及び第２貫通孔５２１が設けられているベース板５２を有している。第１貫通孔５２０の幅寸法よりも第２貫通孔５２１の幅寸法が短く、第１貫通孔５２０と第２貫通孔５２１は長さ寸法の方向に沿ってつながっている。係合部５０は、主片５００と、主片５００の長手方向の第１端に設けられている引掛片５０１とを有している。主片５００は、短手方向の幅寸法を第２貫通孔５２１の幅寸法よりも短くするように形成されている。引掛片５０１は、主片５００の短手方向に沿った幅寸法を第１貫通孔５２０の幅寸法よりも短く、かつ、第２貫通孔５２１の幅寸法よりも長くするように形成されている。【選択図】        図１１
2018018607.tif 000002
【特許請求の範囲】
【請求項１】
第１面が開放されている箱状の器具本体と、前記器具本体内に配置される光源部と、前記器具本体内に配置されて前記光源部に給電する電源装置と、板状に形成され、第１面と対向するように前記器具本体内に収納される板状部材と、前記板状部材を前記器具本体に仮保持させる仮保持部材と、前記板状部材を前記器具本体に固定する固定部材とを備え、
前記仮保持部材は、係合部と、前記係合部が離脱可能に係合する被係合部とを有し、前記係合部は、前記器具本体又は前記板状部材に設けられ、前記被係合部は、前記器具本体と前記板状部材のうちで、前記係合部が設けられていない前記器具本体又は前記板状部材に設けられており、
前記被係合部は、平板状に形成されて厚み方向に貫通する第１貫通孔及び第２貫通孔が設けられているベース板を有し、前記第１貫通孔の幅寸法よりも前記第２貫通孔の幅寸法が短く、前記第１貫通孔の長さ寸法よりも前記第２貫通孔の長さ寸法が長く、かつ、前記第１貫通孔と前記第２貫通孔が前記長さ寸法の方向に沿ってつながっており、
前記係合部は、長尺の板状に形成されている主片と、前記主片の長手方向の第１端に設けられている引掛片とを有し、前記主片は、長手方向の第２端側で前記器具本体又は前記板状部材に固定され、短手方向の幅寸法を前記第２貫通孔の幅寸法よりも短くするように形成され、前記引掛片は、前記主片の短手方向に沿った幅寸法を前記第１貫通孔の幅寸法よりも短く、かつ、前記第２貫通孔の幅寸法よりも長くするように形成されていることを特徴とする照明器具。
【請求項２】
前記仮保持部材は、前記主片の短手方向の幅寸法と前記第２貫通孔の幅寸法との差を、前記光源部と前記板状部材との隙間のうちで前記短手方向に沿った前記隙間よりも小さくするように構成されていることを特徴とする請求項１記載の照明器具。
【請求項３】
前記主片は、前記第１端の側に、前記引掛片を前記ベース板に近付ける向きに屈曲した屈曲部を有していることを特徴とする請求項１又は２記載の照明器具。
【請求項４】
前記仮保持部材は、複数の前記係合部と、複数の前記係合部のそれぞれと一対一に対応する複数の前記被係合部とを有していることを特徴とする請求項１〜３のいずれか１項に記載の照明器具。
【請求項５】
コイル部及び腕部を有するねじりコイルばねからなる取付ばねを有し、前記取付ばねの前記コイル部は、前記板状部材に設けられている前記ベース板における複数の前記係合部の間の位置に取り付けられ、
前記器具本体は、前記ベース板に対向する底板に、前記取付ばねの前記腕部を挿通させる引掛孔を有しており、
前記取付ばねは、前記底板における前記引掛孔の縁に前記腕部を引っ掛けることで前記板状部材を前記器具本体に取り付けるように構成されていることを特徴とする請求項４記載の照明器具。
【請求項６】
前記固定部材は、引掛部と、前記引掛部が離脱可能に引っ掛けられる被引掛部とを有し、前記引掛部は、前記器具本体の前記第１面に対向する底板と、前記板状部材の前記底板に対向する第１面とのいずれか一方に配置され、前記被引掛部は、前記底板と前記板状部材の前記第１面のうちで前記引掛部が配置されていない方に設置されていることを特徴とする請求項１〜５のいずれか１項に記載の照明器具。
【発明の詳細な説明】
【技術分野】
【０００１】
本発明は、照明器具に関し、より詳細には、造営材に取り付けられる器具本体に対して着脱可能な構造物を備えた照明器具に関する。
【背景技術】
【０００２】
従来例として特許文献１記載の照明器具を例示する。特許文献１記載の照明器具は、天井に設置される本体部と、本体部に脱着可能に取り付けられる光源部とを備えている。本体部は、光源部を本体部に固定するための板バネと、外部から引き込まれた電源電線が接続される端子台を備えている。本体部は、長尺に形成されており、長手方向の一端に引掛金具が設けられ、長手方向の他端に板バネが取り付けられている。光源部は、本体部と同じく長尺に形成されている。光源部は、長手方向の一端に設けられた線バネを引掛金具に引っ掛けた後、板バネの先端を連結金具に引っ掛けることで本体部に仮保持される。そして、光源部は、仮保持された状態から線バネを支点として本体部に近付く向きに回転させられることにより、連結金具に対して板バネを移動させることで本体部に固定される。
【先行技術文献】
【特許文献】
【０００３】
【特許文献１】特開２０１５−１６２３８２号公報
【発明の概要】
【発明が解決しようとする課題】
【０００４】
ところで、特許文献１記載の照明器具においては、本体部に対する光源部の回転範囲は、板バネの長さで制限されている。しかしながら、連結金具に対する板バネの掛かりが不十分であるなどの理由で光源部の回転範囲が制限されない場合、本体部に対して光源部が必要以上に回転して施工作業に支障を来すおそれがある。
【０００５】
本発明の目的は、施工作業の作業性の向上を図ることができる照明器具を提供することである。
【課題を解決するための手段】
【０００６】
本発明の一態様に係る照明器具は、第１面が開放されている箱状の器具本体と、前記器具本体内に配置される光源部と、前記器具本体内に配置されて前記光源部に給電する電源装置とを備えている。また、前記照明器具は、板状に形成され、前記第１面と対向するように前記器具本体内に収納される板状部材と、前記板状部材を前記器具本体に仮保持させる仮保持部材と、前記板状部材を前記器具本体に固定する固定部材とを備えている。前記仮保持部材は、係合部と、前記係合部が離脱可能に係合する被係合部とを有している。前記係合部は、前記器具本体又は前記板状部材に設けられている。前記被係合部は、前記器具本体と前記板状部材のうちで、前記係合部が設けられていない前記器具本体又は前記板状部材に設けられている。前記被係合部は、平板状に形成されて厚み方向に貫通する第１貫通孔及び第２貫通孔が設けられているベース板を有している。前記第１貫通孔の幅寸法よりも前記第２貫通孔の幅寸法が短く、前記第１貫通孔の長さ寸法よりも前記第２貫通孔の長さ寸法が長く、かつ、前記第１貫通孔と前記第２貫通孔が前記長さ寸法の方向に沿ってつながっている。前記係合部は、長尺の板状に形成されている主片と、前記主片の長手方向の第１端に設けられている引掛片とを有している。前記主片は、長手方向の第２端側で前記器具本体又は前記板状部材に固定され、短手方向の幅寸法を前記第２貫通孔の幅寸法よりも短くするように形成されている。前記引掛片は、前記主片の短手方向に沿った幅寸法を前記第１貫通孔の幅寸法よりも短く、かつ、前記第２貫通孔の幅寸法よりも長くするように形成されている。
【発明の効果】
【０００７】
本発明の照明器具は、施工作業の作業性の向上を図ることができるという効果がある。
【図面の簡単な説明】
【０００８】
【図１】図１は、本発明の一実施形態に係る照明器具の下から見た分解斜視図である。
【図２】図２は、同上の照明器具の上から見た分解斜視図である。
【図３】図３Ａは、同上の照明器具の正面図である。図３Ｂは、同上の照明器具の背面図である。図３Ｃは、同上の照明器具の左側面図である。
【図４】図４は、同上の照明器具の下から見た斜視図である。
【図５】図５は、同上の照明器具の断面図である。
【図６】図６は、同上の照明器具の一部省略した断面図である。
【図７】図７は、同上の照明器具における係合部の斜視図である。
【図８】図８は、同上の照明器具における反射部材及び被係合部の一部省略した正面図である。
【図９】図９は、同上の照明器具における光源ユニットの分解斜視図である。
【図１０】図１０は、同上の照明器具の第１の仮保持状態における斜視図である。
【図１１】図１１は、同上の照明器具の第１の仮保持状態における断面図である。
【図１２】図１２は、同上の照明器具の第１の仮保持状態から第２の仮保持状態に移行する途中の状態における斜視図である。
【図１３】図１３は、同上の照明器具の第１の仮保持状態から第２の仮保持状態に移行する途中の状態における断面図である。
【図１４】図１４は、同上の照明器具の第２の仮保持状態における斜視図である。
【発明を実施するための形態】
【０００９】
以下、本発明の一実施形態に係る照明器具について、図面を参照して詳細に説明する。なお、以下の実施形態に係る照明器具は、天井に設けられる埋込孔に埋め込まれるようにして天井に配置される、埋込型の照明器具である。ただし、実施形態に係る照明器具は天井埋込型の照明器具に限定されず、例えば、天井に直付けされる直付け型の照明器具、あるいは、壁に取り付けられる照明器具などであってもよい。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態に係る照明器具１（以下、照明器具１と略す）は、器具本体２と、光源部（光源ユニット３）と、電源装置６と、板状部材（反射部材４）と、仮保持部材５と、固定部材（引掛具４２及び引掛ばね１２）とを備えている。ただし、以下の説明では、特に断りのない限り、図１において、照明器具１の上下、左右及び前後の各方向を規定する。
【００１１】
器具本体２は、図１〜図５に示すように、底板２０と、４つの側板２１とで矩形の箱形に形成されることが好ましい。底板２０は、鋼板などの金属板によって矩形（例えば、正方形）に形成されている。４つの側板２１はそれぞれ、主部２１０と、連結部２１１と、外鍔部２１２とを有している（図２及び図６参照）。主部２１０は、長尺の矩形板状に形成されている。連結部２１１は、長尺の矩形板状に形成され、連結部２１１の下端と主部２１０の上端とが連結されている。ただし、連結部２１１の下端部分（主部２１０につながる部分）は、内向き（底板２０に近付く向き）に傾斜するように曲げられている（図６参照）。外鍔部２１２は、長尺の矩形板状に形成されている。外鍔部２１２は、主部２１０の下端から外向き（底板２０から離れる向き）に突出している。外鍔部２１２の先端部分が上向きに曲げ起こされている（図６参照）。なお、主部２１０、連結部２１１及び外鍔部２１２は、鋼板などの金属板が曲げ加工されることで一体に形成されることが好ましい。また、底板２０と４つの側板２１のうちの少なくとも１つの側板２１とは、鋼板などの金属板が曲げ加工されることで一体に形成されることが好ましい。ただし、底板２０と別体に形成される側板２１は、溶接などの適宜の方法で底板２０及び他の側板２１と連結（接合）されることが好ましい。
【００１２】
底板２０は、前後方向の中央に、２つの電線挿通孔２４と、１つの引掛孔２５とが設けられている（図１参照）。１つの電線挿通孔２４は、底板２０の右端に設けられている。残り１つの電線挿通孔２４は、底板２０の左右方向の中央近くに設けられている。２つの電線挿通孔２４は、底板２０を上下方向に貫通する丸孔であり、電線を保護するためにグロメットが嵌め込まれることが好ましい。中央寄りの電線挿通孔２４に電灯線（電力系統からの給電用の電線）が挿通される。右端の電線挿通孔２４に信号線（調光信号の伝送媒体となる電線）が挿通される。ここで、底板２０の下面における２つの電線挿通孔２４の近くに、第１端子台１０及び第２端子台１１が取り付けられている（図１参照）。第１端子台１０は、中央寄りの電線挿通孔２４に挿通される電灯線と電気的に接続される。第２端子台１１は、右端の電線挿通孔２４に挿通される信号線と電気的に接続される。引掛孔２５は、底板２０の前後方向の中央における左端において、底板２０を上下方向に貫通するように形成されている。引掛孔２５は、上下方向から見て正方形状の角孔と、この角孔の対角方向（前後方向）に沿って突出する長尺の矩形状の角孔とで構成されている（図１参照）。
【００１３】
さらに、底板２０は、左右方向の中央に、４つの取付孔２３が設けられている（図１参照）。これら４つの取付孔２３は、底板２０を貫通する長円形の孔である。また、底板２０の下面における右前方の隅及び右後方の隅に、２つの引掛ばね１２がそれぞれ１つずつ取り付けられている。これら２つの引掛ばね１２は、ばね性を有する帯状の板材によって、略Ω形状に形成されることが好ましい（図１参照）。
【００１４】
ここで、器具本体２は、補強部材２２を有することが好ましい（図２参照）。補強部材２２は、第１補強部２２１と、一対の第２補強部２２２と、一対の第３補強部２２３とを有している。第１補強部２２１は、長尺の矩形板状に形成されている（図２及び図３Ｂ参照）。第１補強部２２１の長手方向の中央には、円形の電線挿通孔２２１０が貫通している。さらに、第１補強部２２１の長手方向における電線挿通孔２２１０の両側に、それぞれ円形のボルト挿通孔２２１１が２つずつ貫通している。一対の第２補強部２２２はそれぞれ、概ね矩形板状であって、上側の２つの角がＣ面取りされている（図３Ｃ参照）。一対の第２補強部２２２はそれぞれ、第１補強部２２１の前端及び後端から下向きに突出するように第１補強部２２１と一体に形成されることが好ましい。一対の第３補強部２２３はそれぞれ、概ね矩形板状であって、上側の２つの角がＣ面取りされている（図２及び図６参照）。一対の補強片３２３はそれぞれ、第１補強部２２１の左端及び右端から上向きに突出するように第１補強部２２１と一体に形成されることが好ましい。補強部材２２は、底板２０の上面における左右方向の中央に第１補強部２２１がねじ止めされる（図２参照）。
【００１５】
さらに、器具本体２には、仮保持部材５の構成要素である２つの係合部５０が設けられている（図１参照）。係合部５０は、図７に示すように、長尺の矩形板状に形成されている主片５００と、主片５００の長手方向Ｘ１の第１端に設けられている引掛片５０１とを有している。また、係合部５０は、主片５００の長手方向Ｘ１の第２端から厚み方向Ｘ２に突出する矩形板状の固定片５０２を有することが好ましい。さらに、主片５００は、引掛片５０１につながる端部を、固定片５０２と反対向きの厚み方向Ｘ２に屈曲させた屈曲部５０３を有することが好ましい。引掛片５０１は矩形板状に形成されている。引掛片５０１の長手方向の幅寸法は、主片５００の短手方向Ｘ３の幅寸法よりも大きい。固定片５０２には、円形のねじ挿通孔５０４が貫通している。これら２つの係合部５０は、器具本体２の底板２０の内底面（下面）において、引掛孔２５を挟んで前後方向に並ぶ位置に取り付けられている（図１参照）。具体的には、固定片５０２のねじ挿通孔５０４に挿通されるねじが、底板２０に設けられているねじ孔にねじ込まれることによって、係合部５０が底板２０にねじ止めされている。ただし、２つの係合部５０は、引掛片５０１を距離の近い側（左側）の側板２１に対向させる向きで底板２０に取り付けられることが好ましい。
【００１６】
反射部材４は、反射板４０、４つの反射側板４１、仮保持部材５、２つの引掛具４２及び１つの取付ばね４３などを有することが好ましい（図１〜図５参照）。反射板４０は、鋼板などの金属板によって、器具本体２の底板２０に相似した形状（正方形）に形成されている。ただし、反射板４０の縦横（前後左右）の長さは、器具本体２の内側の縦横の長さよりも僅かに（例えば、十数ミリメートル〜数十ミリメートルほど）短い（図５参照）。４つの反射側板４１は、反射板４０の４つの辺からそれぞれＬ字形に曲げ起こされて、反射板４０と一体に形成されていることが好ましい（図２参照）。２つの引掛具４２は、ひし形の板状に形成されている（図２参照）。２つの引掛具４２は、反射板４０の上面における左前方の隅及び左後方の隅に、左側の反射側板４１と平行して起立するように設けられている（図２参照）。
【００１７】
仮保持部材５は、２つの係合部５０がそれぞれ離脱可能に係合する被係合部５１を有している。つまり、被係合部５１は、２つの係合部５０とともに仮保持部材５の構成要素である。被係合部５１は、２つの貫通孔が設けられているベース板５２を有している（図２参照）。ベース板５２は、鋼板などの金属板によって長尺の矩形板状に形成されている。ベース板５２は、長手方向（前後方向）に沿った両端縁が厚み方向に沿ってほぼ直角に曲げ起こされ、曲げ起こされた両端縁の先端を反射板４０に当てるようにして、反射部材４の上面に取り付けられている。つまり、ベース板５２は、反射板４０と厚み方向（上下方向）に距離を空けて対向しており、反射板４０との間に空間を形成している（図５参照）。
【００１８】
２つの貫通孔はそれぞれ、第１貫通孔５２０と第２貫通孔５２１で構成されている（図８参照）。第２貫通孔５２１は、ベース板５２の短手方向と平行になるように、長尺の矩形状にベース板５２を貫通して形成されている。第１貫通孔５２０は、第２貫通孔５２１の長手方向Ｙ１の一端（反射側板４１に近い方の一端）寄りの端部において、第２貫通孔５２１の短手方向Ｙ２の幅を拡げるように、矩形状にベース板５２を貫通して形成されている。つまり、第１貫通孔５２０と第２貫通孔５２１とはつながっている。ここで、第１貫通孔５２０は、長手方向の幅寸法を係合部５０の引掛片５０１の長手方向の幅寸法よりも長く、かつ、短手方向の幅寸法を第２貫通孔５２１の長手方向の幅寸法よりも短くするように形成されている。また、第２貫通孔５２１は、短手方向Ｙ２の幅寸法を、係合部５０の主片５００の短手方向の幅寸法よりも長く、かつ、引掛片５０１の長手方向の幅寸法よりも短くするように形成されている。ただし、第１貫通孔５２０の一部分は、第２貫通孔５２１に近付くにつれて短手方向の幅寸法を徐々に大きくした三角形状に形成されていることが好ましい。第１貫通孔５２０の一部分が三角形状に形成されていれば、第１貫通孔５２０に挿通された主片５００をスムーズに第２貫通孔５２１へ移動させることができる。これら２つの貫通孔はそれぞれ、ベース板５２の長手方向の両端に配置されている（図８参照）。
【００１９】
取付ばね４３は、コイル部４３０と、一対の腕部４３１とを有するねじりコイルばねである（図２及び図８参照）。また、取付ばね４３は、一対の腕部４３１のそれぞれの先端部分が曲げられることで引掛部４３２が設けられている。取付ばね４３は、ベース板５２の長手方向の中央に、取付金具４４によって取り付けられている（図８参照）。取付金具４４は、帯状の金属板によってＵ字状に形成されている。取付金具４４は、コイル部４３０に挿通された状態において、長手方向の一端部がベース板５２にねじ止めされている。
【００２０】
電源装置６は、電力系統から供給される交流電力を直流電力に変換する電力変換回路、電源用の入力端子台６２、信号用の入力端子台６３、出力端子台６４などが実装されたプリント配線板を金属製のケース６０に収納して構成されている（図１及び図５参照）。電源用の入力端子台６２は、第１端子台１０と電線を介して電気的に接続される。信号用の入力端子台６３は、信号変換装置６５と電線を介して電気的に接続される。信号変換装置６５は、第２端子台１１を介して信号線に電気的に接続され、信号線によって伝送される、パルス幅変調（ＰＷＭ）方式の調光信号を直流の電圧信号に信号変換する。電源装置６の電力変換回路は、信号変換装置６５で信号変換された電圧信号の電圧レベル、すなわち、調光信号で指示された調光レベルに応じて、出力（出力電流）を増減するように構成されている。電源装置６並びに信号変換装置６５は、器具本体２の底板２０の下面における後端寄りの位置に取り付けられている。
【００２１】
４つの光源ユニット３はそれぞれ同一の構成を有している。ゆえに、以下では、図６及び図９を参照して１つの光源ユニット３の構成のみを説明する。光源ユニット３は、ＬＥＤモジュール３０、第１支持部材３１、第２支持部材３２、反射シート３４、弾性シート３５、複数本の固定ピン３６、複数本の結合ねじ３７及び複数本の固定ねじ３８などを有している。
【００２２】
ＬＥＤモジュール３０は、光源である複数個（図示例では６０個）のＬＥＤ（発光ダイオード）３００、これら複数個のＬＥＤ３００が実装されている基板３０１、２つのコネクタ３０２などを有している（図９参照）。基板３０１は、長尺の矩形板状に形成されている。複数個のＬＥＤ３００は、基板３０１の下面における短手方向の第１端側に、長手方向に沿ってほぼ等間隔かつ直線上に並ぶように実装されている。また、２つのコネクタ３０２は、基板３０１の下面における長手方向の両端近くにそれぞれ実装されている。なお、これら２つのコネクタ３０２は、基板３０１の下面に形成されている導体（プリント配線）を介して、複数個のＬＥＤ３００と電気的に接続されている。なお、基板３０１は、短手方向の第２端側における長手方向の両端近く及び中央に、３つのねじ挿通孔３０３が設けられている。
【００２３】
第１支持部材３１は、天板３１０と、第１結合片３１１と、第１支持片３１２と、第１連結片３１３とを有することが好ましい。天板３１０は、長尺の平板状に形成されている。天板３１０の長手方向の両端及び中央に、それぞれ３つの第１ねじ孔３１６及び３つのボルト挿通孔が設けられている。第１結合片３１１は、長尺の矩形板状に形成されている。第１結合片３１１の長手方向の両端及び中央に、それぞれ３つの雌ねじ部３１４が設けられている。第１結合片３１１は、天板３１０の長手方向に沿った第１端から下向きに突出している。第１支持片３１２は、長尺の矩形板状に形成されている。第１支持片３１２の長手方向の両端及び中央に、それぞれ３つの第１ピン挿通孔３１５が設けられている。これら３つの第１ピン挿通孔３１５は長孔状に形成されている。ただし、第１支持片３１２の長手方向の両端に設けられている２つの第１ピン挿通孔３１５は、第１支持片３１２の長手方向に対して長軸の方向が平行している。一方、第１支持片３１２の長手方向の中央に設けられている１つの第１ピン挿通孔３１５は、第１支持片３１２の短手方向（上下方向）に対して長軸の方向が平行している（図９参照）。第１連結片３１３は、長尺の矩形板状であって、下端部分が斜めに曲げ起こされている（図６参照）。第１連結片３１３の上端に天板３１０の長手方向に沿った第２端が連結され、第１連結片３１３の下端に第１支持片３１２の上端が連結されている。なお、天板３１０、第１結合片３１１、第１支持片３１２及び第１連結片３１３は、金属板が加工されることで一体に形成されることが好ましい（図９参照）。
【００２４】
第２支持部材３２は、底壁３２０と、第２結合片３２１と、第２支持片３２２と、補強片３２３とを有することが好ましい。底壁３２０は、長尺の平板状に形成されている。第２結合片３２１は、長尺の矩形板状に形成されている。なお、底壁３２０は、３つの窓孔３２６が底壁３２０の長手方向に沿って直線上に並ぶように設けられている。これら３つの窓孔３２６はそれぞれ、底壁３２０を厚み方向に貫通して矩形に形成されている。第２結合片３２１の長手方向の両端及び中央に、それぞれ３つのねじ挿通孔３２４が設けられている。第２結合片３２１は、底壁３２０の長手方向に沿った第１端から上向きに突出している。第２支持片３２２は、長尺の矩形板状に形成されている。第２支持片３２２の長手方向の両端及び中央に、それぞれ３つの第２ピン挿通孔３２５が設けられている。これら３つの第２ピン挿通孔３２５は長孔状に形成されている。ただし、第２支持片３２２の長手方向の両端に設けられている２つの第２ピン挿通孔３２５は、第２支持片３２２の長手方向に対して長軸の方向が平行している（図９参照）。一方、第２支持片３２２の長手方向の中央に設けられている１つの第２ピン挿通孔３２５は、第２支持片３２２の短手方向（上下方向）に対して長軸の方向が平行している（図６参照）。補強片３２３は、長尺の矩形板状に形成されている。補強片３２３は、第２支持片３２２の上端から底壁３２０に平行して突出している。
【００２５】
反射シート３４は、ポリエチレンテレフタレートなどの合成樹脂製のシート材が白色に着色されることで表面が反射面（拡散面）となるように形成されている。また、反射シート３４は、底部３４０と、固定部３４１とを有することが好ましい。底部３４０及び固定部３４１はそれぞれ、長尺の矩形板状に形成されている。固定部３４１は、底部３４０の長手方向に沿った第１端から下向きに突出している。固定部３４１の長手方向の両端及び中央に、それぞれ３つのピン孔３４２が設けられている。これら３つのピン孔３４２は長孔状に形成されている。ただし、固定部３４１の長手方向の両端に設けられている２つのピン孔３４２は、固定部３４１の長手方向に対して長軸の方向が平行している。一方、固定部３４１の長手方向の中央に設けられている１つのピン孔３４２は、固定部３４１の短手方向（上下方向）に対して長軸の方向が平行している（図９参照）。
【００２６】
弾性シート３５は、例えば、シリコーンゴムなどの弾性を有する材料によって、長尺の矩形板状に形成されている。
【００２７】
固定ピン３６は、円柱状のピン本体３６０と、ピン本体３６０の軸方向（長手方向）の中央に設けられる円板状のフランジ３６１とを有することが好ましい（図６参照）。ただし、ピン本体３６０の直径は、第１支持部材３１の第１ピン挿通孔３１５、第２支持部材３２の第２ピン挿通孔３２５、反射シート３４のピン孔３４２のそれぞれの短軸の径よりも僅かに小さい。なお、以下の説明では、フランジ３６１の表面側に突出するピン本体３６０を第１ピン本体と呼び、フランジ３６１の裏面側に突出するピン本体３６０を第２ピン本体と呼ぶ場合がある。
【００２８】
導光板３９は、図６及び図９に示すように、アクリル樹脂やポリカーボネート樹脂などの透光性を有する合成樹脂材料によって、長尺の矩形板状に形成されることが好ましい。導光板３９は、上部の長手方向の中央と両端近くの３箇所に円形の挿通孔３９０がそれぞれ設けられている。これら３つの挿通孔３９０は、導光板３９を厚み方向に貫通している。なお、導光板３９は、厚み方向に対向する両面（第１表面及び第２表面）のうち、少なくとも反射部材４と対向する側の表面（第１表面）に細かな凹凸が形成されることが好ましい。また、導光板３９の下端面は、第２支持部材３２に近付く向きに傾斜する傾斜面であることが好ましい（図６及び図９参照）。
【００２９】
光源ユニット３は、以下のような手順で組み立てられることが好ましい。まず、第１支持部材３１の内側に反射シート３４及びＬＥＤモジュール３０が重ねて収められる。そして、ＬＥＤモジュール３０の基板３０１の３つのねじ挿通孔３０３にそれぞれ３本の固定ねじ３８が挿通される。これら３本の固定ねじ３８が、第１支持部材３１の天板３１０の３つの第１ねじ孔３１６にねじ込まれる。その結果、ＬＥＤモジュール３０が第１支持部材３１の天板３１０に固定される（図６参照）。
【００３０】
続いて、３本の固定ピン３６のピン本体３６０（第１ピン本体）が、反射シート３４の３つのピン孔３４２、導光板３９の３つの挿通孔３９０、第１支持部材３１の３つの第１ピン挿通孔３１５に、それぞれ順番に挿通される。そして、３本の固定ピン３６のピン本体３６０（第２ピン本体）が、第２支持部材３２の第２ピン挿通孔３２５に挿通される（図６参照）。さらに、第２支持部材３２の第２結合片３２１が第１支持部材３１の第１結合片３１１と重ねられ、第２結合片３２１のねじ挿通孔３２４に挿通される結合ねじ３７が、第１結合片３１１の雌ねじ部３１４にねじ込まれる。ただし、第２結合片３２１と反射シート３４の固定部３４１との間に弾性シート３５が挟み込まれる（図６参照）。その結果、第１支持部材３１の第１結合片３１１と第２支持部材３２の第２結合片３２１とが３本の結合ねじ３７で結合される。さらに、第１支持部材３１（の第１支持片３１２）と第２支持部材３２（の第２支持片３２２）とが、導光板３９を挟んで３本の固定ピン３６で連結される。その結果、導光板３９は、３本の固定ピン３６を介して、第１支持部材３１の第１支持片３１２と第２支持部材３２の第２支持片３２２に厚み方向から挟まれて支持される（図６参照）。ここで、導光板３９の上面は、第１支持部材３１の天板３１０に取り付けられているＬＥＤモジュール３０の複数個のＬＥＤ３００のそれぞれと上下方向に対向している（図６参照）。
【００３１】
上述のようにして組み立てられた４つの光源ユニット３は、以下のような手順で器具本体２にそれぞれ取り付けられる。まず、１つの光源ユニット３の第１支持部材３１の天板３１０が、器具本体２の底板２０の下面における１つの周縁部分に重ねられる。そして、第２支持部材３２の底壁３２０の３つの窓孔３２６を通して、３本のボルト１３が、第１支持部材３１の天板３１０に設けられている３つのボルト挿通孔と、器具本体２の底板２０に設けられている３つの孔にそれぞれ挿通される。そして、底板２０の上面側に突出した３本のボルト１３に、３つのナット１４がそれぞれ締め付けられる（図５及び図６参照）。その結果、１つの光源ユニット３が器具本体２（の底板２０）の周縁部分に取り付けられる。なお、残り３つの光源ユニット３も同様にして器具本体２（の底板２０）の周縁部分に取り付けられる。このとき、４つの導光板３９はそれぞれ、器具本体２の４つの側板２１（の主部２１０）の内側面（底板２０に臨む側面）との間に微小な隙間を空けて配置されることが好ましい。
【００３２】
また、反射部材４は、以下のような手順で器具本体２に取り付けられる。まず、一対の係合部５０のそれぞれの引掛片５０１が、ベース板５２の一対の第１貫通孔５２０に挿通された後、取付ばね４３の一対の腕部４３１が、器具本体２の底板２０の引掛孔２５に挿通される。そして、一対の係合部５０を支点として反射部材４が回転されながら器具本体２内に収容される。すると、取付ばね４３の一対の腕部４３１が引掛孔２５に挿入されながら外向きに広がり、一対の腕部４３１のそれぞれの根元部分（コイル部４３０に近い部分）が底板２０の引掛孔２５の周縁に引っ掛けられる。さらに、２つの引掛具４２がそれぞれ、器具本体２の底板２０に取り付けられている２つの引掛ばね１２に引っ掛けられる。その結果、反射部材４は、器具本体２内に収容された状態で、取付ばね４３と２つの引掛ばね１２のばね力によって器具本体２に支持される（図５参照）。このとき、一対の係合部５０のそれぞれの引掛片５０１は、ベース板５２から離れて、ベース板５２と反射板４０との間に形成されている空間に退避している（図５参照）。
【００３３】
次に、照明器具１の施工手順を説明する。まず、施工作業を行う作業者は、反射部材４を取り外した器具本体２を、天井仕上げ材に設けられている埋込孔に埋め込む。このとき、作業者は、建物の躯体に下向きに埋め込まれている複数本の吊りボルトを、器具本体２の底板２０の複数の取付孔２３及び補強部材２２の複数のボルト挿通孔２２１１にそれぞれ挿通する。そして、作業者は、複数の取付孔２３及び複数のボルト挿通孔２２１１にそれぞれ挿通した複数本の吊りボルトにナットを締め付けることにより、器具本体２を複数本の吊りボルトに取り付ける。このとき、器具本体２の４つの側板２１のそれぞれの外鍔部２１２により、４つの側板２１と埋込孔との隙間が目隠しされる。
【００３４】
続いて、作業者は、底板２０の電線挿通孔２４から引き込んだ電灯線を第１端子台１０に電気的に接続し、底板２０の別の電線挿通孔２４から引き込んだ信号線を第２端子台１１に電気的に接続する。
【００３５】
次に、作業者は、器具本体２に反射部材４を取り付ける。まず、作業者は、一対の係合部５０のそれぞれの引掛片５０１を、ベース板５２の一対の第１貫通孔５２０に挿通した後、各係合部５０の引掛片５０１を第１貫通孔５２０から第２貫通孔５２１に移動させる。つまり、作業者は、各係合部５０の引掛片５０１を、ベース板５２の第２貫通孔５２１の縁に引っ掛けることで反射部材４を器具本体２に仮保持させる（図１０及び図１１参照）。ただし、この場合の反射部材４の仮保持状態を、「第１の仮保持状態」と呼ぶ場合がある。さらに、作業者は、取付ばね４３の一対の腕部４３１のそれぞれの先端部分に設けられている引掛部４３２を、器具本体２の底板２０の引掛孔２５の周縁に引っ掛ける。このとき、反射部材４は、取付ばね４３によって器具本体２に仮保持される（図１４参照）。ただし、この場合の反射部材４の仮保持状態を、「第２の仮保持状態」と呼ぶ場合がある。
【００３６】
最後に、作業者は、反射部材４を押し上げて器具本体２内（底板２０と４つの側板２１に囲まれた空間）に収容する。すると、取付ばね４３の一対の腕部４３１が引掛孔２５に挿入されながら外向きに広がり、一対の腕部４３１のそれぞれの根元部分（コイル部４３０に近い部分）が底板２０の引掛孔２５の周縁に引っ掛けられる。さらに、２つの引掛具４２がそれぞれ、器具本体２の底板２０に取り付けられている２つの引掛ばね１２に引っ掛けられる。その結果、反射部材４は、器具本体２内に収容された状態で、取付ばね４３と２つの引掛ばね１２のばね力によって器具本体２に支持される（図５参照）。上述のようにして、照明器具１の施工作業が完了する。
【００３７】
次に、上述した施工作業において、照明器具１に取り付けられた反射部材４を、第１の仮保持状態に移行させる手順を説明する。まず、作業者は、反射部材４を下向きに引っ張り、一対の引掛ばね１２のそれぞれから引掛具４２を離脱させる。すると、反射部材４は、自重によって、ベース板５２が取り付けられている側の端部（第１端部）を支点にして下向きに回転する。ただし、反射部材４は、一対の係合部５０のそれぞれの引掛片５０１がベース板５２（の上面）に当たって引っ掛かる位置（第１の仮保持状態）で停止する（図１０及び図１１参照）。このとき、反射部材４のベース板５２が取り付けられていない側の端部（第２端部）は、器具本体２の外鍔部２１２よりも僅かに突出している（図１０及び図１１参照）。
【００３８】
さらに、作業者は、器具本体２から突出している反射部材４の第２端部をベース板５２から離すように斜め下向きに引っ張る。すると、反射部材４の第１端部が左方向に移動し、反射部材４の第１端部と一対の係合部５０のそれぞれとの距離が短くなる（図１２及び図１３参照）。ゆえに、作業者は、反射部材４を回転させて第１の仮保持状態から第２の仮保持状態へ移行させることができる（図１４参照）。そして、作業者は、反射部材４を第２の仮保持状態にしたまま、電灯線の結線作業や信号線の結線作業などを行うことができる。これらの作業が完了した後、作業者は、反射部材４を押し上げて器具本体２内に収容し、取付ばね４３と２つの引掛ばね１２のばね力によって反射部材４を器具本体２に支持させればよい。
【００３９】
上述のように天井に埋込配設された照明器具１は、電源装置６から給電させることによって４つの光源ユニット３をそれぞれ点灯する。４つの光源ユニット３（の複数個のＬＥＤ３００）から放射される光は、導光板３９の入射面（上面）から導光板３９内に入射し、導光板３９内を導光されながら導光板３９の内側面及び下面から出射する。このとき、導光板３９の第１表面から出射する光は、導光板３９の第１表面に形成されている細かな凹凸によって拡散される。導光板３９の第１表面から出射され、かつ、拡散された光の一部は、器具本体２内に向かって進行する。そして、器具本体２内に向かって進行した光は、器具本体２内に配置されている反射部材４の反射板４０（の下面）で反射され、反射板４０の下方の照明空間に照射される。
【００４０】
ところで、照明器具１が仮保持部材５を備えていない場合、反射部材４は、器具本体２に対して第２の仮保持状態でのみ仮保持される。その場合、反射部材４は、一対の引掛ばね１２のそれぞれから引掛具４２が離脱すると、自重によって第２の仮保持状態の位置まで急激に移動（回転）する可能性がある。
【００４１】
しかしながら、本実施形態の照明器具１は仮保持部材５を備えているため、反射部材４が自重によって移動（回転）しても、仮保持部材５によって第１の仮保持状態で仮保持される。ここで、反射部材４が器具本体２（の外鍔部２１２）から下に突出する量は、第２の仮保持状態に比べて第１の仮保持状態の方が遙かに少ない（図１０及び図１４参照）。そのため、本実施形態の照明器具１は、反射部材４を第２の仮保持状態に急激に移動させないので、施工作業の作業性の向上を図ることができる。なお、仮保持部材５は、１つの係合部５０と、１つの貫通孔（第１貫通孔５２０と第２貫通孔５２１）とで構成されてもよい。しかしながら、仮保持部材５が複数の係合部５０と複数の貫通孔とで構成されれば、第１の仮保持状態において反射部材４を安定して仮保持することができる。
【００４２】
ここで、係合部５０の主片５００は、引掛片５０１が設けられている第１端の側に、引掛片５０１をベース板５２に近付ける向きに屈曲した屈曲部５０３を有している。つまり、係合部５０は、自重で移動した反射部材４が引掛片５０１に当たったとき、屈曲部５０３が下向きに撓むことにより、引掛片５０１や固定片５０２に加わる衝撃を和らげることができる。
【００４３】
ところで、第１の仮保持状態における反射部材４は、係合部５０の主片５００の短手方向Ｘ３の端と、第２貫通孔５２１の長手方向に沿った縁との距離の分だけがたつきが生じる。しかしながら、反射部材４が光源ユニット３の導光板３９に当たって導光板３９の表面に傷が付くおそれがあるので、第１の仮保持状態における反射部材４のがたつきを、反射部材４が導光板３９に当たらない範囲に制限することが好ましい。そのため、仮保持部材５は、係合部５０の主片５００の短手方向Ｘ３の幅寸法と、第２貫通孔５２１の短手方向の幅寸法との差を、短手方向Ｘ３に平行な方向における導光板３９と反射部材４との隙間Ｓ１（図６参照）よりも小さくするように構成される。
【００４４】
ここで、本実施形態の照明器具１では、ＬＥＤモジュール３０から放射される光を導光板３９で導光するように構成された光源ユニット３を光源部としているが、光源部の構成は本実施形態における光源ユニット３に限定されない。光源部は、例えば、導光板を利用せずに、ＬＥＤモジュールから放射される光を照明空間に直接照射するように構成されてもよい。また、本実施形態の照明器具１では、光源ユニット３から放射される光を照明空間に向けて反射する反射部材４を板状部材としているが、板状部材の構成は本実施形態における反射部材４に限定されない。板状部材は、例えば、板材と、板材の表面（照明空間に対向する面）に保持される光源部とを有するように構成されてもよい。さらに、本実施形態の照明器具１において、仮保持部材５の一対の係合部５０が反射部材４に設けられ、仮保持部材５のベース板５２が器具本体２に設けられても構わない。またさらに、本実施形態の照明器具１において、取付ばね４３が器具本体２に設けられ、引掛孔２５が反射部材４に設けられても構わない。さらに、本実施形態の照明器具１において、一対の引掛具４２が器具本体２に設けられ、一対の引掛ばね１２が反射部材４に設けられても構わない。
【００４５】
上述のように本実施形態の照明器具１は、第１面（下面）が開放されている箱状の器具本体２と、器具本体２内に配置される光源部（光源ユニット３）と、器具本体２内に配置されて光源ユニット３に給電する電源装置６とを備えている。また、照明器具１は、板状に形成され、下面と対向するように器具本体２内に収納される板状部材（反射部材４）と、反射部材４を器具本体２に仮保持させる仮保持部材５と、反射部材４を器具本体２に固定する固定部材（引掛ばね１２と引掛具４２）とを備えている。仮保持部材５は、係合部５０と、係合部５０が離脱可能に係合する被係合部５１とを有している。係合部５０は、器具本体２又は反射部材４に設けられる。被係合部５１は、器具本体２と反射部材４のうちで、係合部５０が設けられていない器具本体２又は反射部材４に設けられている。被係合部５１は、平板状に形成されて厚み方向に貫通する第１貫通孔５２０及び第２貫通孔５２１が設けられているベース板５２を有している。第１貫通孔５２０の幅寸法よりも第２貫通孔５２１の幅寸法が短く、第１貫通孔５２０の長さ寸法よりも第２貫通孔５２１の長さ寸法が長い。第１貫通孔５２０と第２貫通孔５２１は長さ寸法の方向に沿ってつながっている。係合部５０は、長尺の板状に形成されている主片５００と、主片５００の長手方向の第１端に設けられている引掛片５０１とを有している。主片５００は、長手方向の第２端側で器具本体２又は反射部材４に固定され、短手方向の幅寸法を第２貫通孔５２１の幅寸法よりも短くするように形成されている。引掛片５０１は、主片５００の短手方向に沿った幅寸法を第１貫通孔５２０の幅寸法よりも短く、かつ、第２貫通孔５２１の幅寸法よりも長くするように形成されている。
【００４６】
本実施形態の照明器具１は上述のように構成されるので、仮保持部材５によって反射部材４を第１の仮保持状態に仮保持することにより、反射部材４が器具本体２の外に急激に移動することを防ぐことができる。ゆえに、本実施形態の照明器具１は、反射部材４を器具本体２の外に急激に移動させないので、施工作業の作業性の向上を図ることができる。
【００４７】
また、本実施形態の照明器具１において、仮保持部材５は、主片５００の短手方向の幅寸法と第２貫通孔５２１の幅寸法との差を隙間Ｓ１よりも小さくするように構成されていることが好ましい。ただし、隙間Ｓ１は、光源ユニット３と反射部材４との隙間のうちで（主片５００の）短手方向に沿った隙間である。
【００４８】
本実施形態の照明器具１が上述のように構成されれば、仮保持部材５による仮保持状態（第１の仮保持状態）における反射部材４のがたつきを制限し、反射部材４が光源部（光源ユニット３の導光板３９）に当たることを抑制できる。
【００４９】
さらに、本実施形態の照明器具１において、主片５００は、（主片５００の）第１端の側に、引掛片５０１をベース板５２に近付ける向きに屈曲した屈曲部５０３を有していることが好ましい。
【００５０】
本実施形態の照明器具１が上述のように構成されれば、移動した反射部材４が引掛片５０１に当たったとき、屈曲部５０３が撓むことによって引掛片５０１に加わる衝撃を和らげることができる。
【００５１】
またさらに、本実施形態の照明器具１において、仮保持部材５は、複数の係合部５０と、複数の係合部５０のそれぞれと一対一に対応する複数の被係合部５１（ベース板５２、第１貫通孔５２０及び第２貫通孔５２１）とを有していることが好ましい。
【００５２】
本実施形態の照明器具１が上述のように構成されれば、仮保持部材５が１つの係合部５０と１つの被係合部５１とで構成される場合と比較して、反射部材４を安定して仮保持することができる。
【００５３】
本実施形態の照明器具１において、コイル部４３０及び腕部４３１を有するねじりコイルばねからなる取付ばね４３を有することが好ましい。取付ばね４３のコイル部４３０は、反射部材４に設けられているベース板５２における複数の係合部５０の間の位置に取り付けられることが好ましい。器具本体２は、ベース板５２に対向する底板２０に、取付ばね４３の腕部４３１を挿通させる引掛孔２５を有することが好ましい。取付ばね４３は、底板２０における引掛孔２５の縁に腕部４３１を引っ掛けることで反射部材４を器具本体２に取り付けるように構成されていることが好ましい。
【００５４】
本実施形態の照明器具１が上述のように構成されれば、器具本体２に対して反射部材４を容易に取り付けることができる。
【００５５】
本実施形態の照明器具１において、固定部材は、引掛部（引掛具４２）と、引掛具４２が離脱可能に引っ掛けられる被引掛部（引掛ばね１２）とを有することが好ましい。引掛具４２は、器具本体２の第１面に対向する底板２０と、反射部材４の底板２０に対向する第１面とのいずれか一方に配置されることが好ましい。引掛ばね１２は、底板２０と反射部材４の第１面のうちで引掛具４２が配置されていない方に設置されていることが好ましい。
【００５６】
本実施形態の照明器具１が上述のように構成されれば、照明空間と対向する反射部材４の第１面に固定部材（引掛具４２及び引掛ばね１２）を露出させずに、固定部材によって反射部材４を器具本体２に確実に固定することができる。
【符号の説明】
【００５７】
１  照明器具
２  器具本体
３  光源ユニット（光源部）
４  反射部材（板状部材）
５  仮保持部材
６  電源装置
１２  引掛ばね（固定部材、被引掛部）
２０  底板
２５  引掛孔
４２  引掛具（固定部材、引掛部）
４３  取付ばね
５０  係合部
５１  被係合部
５２  ベース板
４３０  コイル部
４３１  腕部
５００  主片
５０１  引掛片
５０３  屈曲部
５２０  第１貫通孔
５２１  第２貫通孔
Ｓ１  隙間
【図１】
2018018607.tif 000003
【図２】
2018018607.tif 000004
【図３】
2018018607.tif 000005
【図４】
2018018607.tif 000006
【図５】
2018018607.tif 000007
【図６】
2018018607.tif 000008
【図７】
2018018607.tif 000009
【図８】
2018018607.tif 000010
【図９】
2018018607.tif 000011
【図１０】
2018018607.tif 000012
【図１１】
2018018607.tif 000013
【図１２】
2018018607.tif 000014
【図１３】
2018018607.tif 000015
【図１４】
2018018607.tif 000016